(57)【要約】ガス同伴飲料を保持するための飲料容器を密封するキャップアセンブリであって、キャップアセンブリは、分配アセンブリと協働して飲料を分配するよう構成されており、第１キャップ部品と、常閉型飲料分配バルブと、前記飲料分配バルブが開いた際に飲料を分配するための飲料出口アパーチャであって前記第１キャップ部品内に形成される飲料出口アパーチャとを含む飲料出口とを含み、前記第１キャップ部品には、キャップアセンブリへの汚染物質の侵入を抑制するキャップカバーが設けられ、前記キャップカバーは、キャップカバーを取り外したり破ったりしないでキャップアセンブリの外から前記飲料分配バルブを開くことが可能なように前記飲料出口アパーチャの上に位置するまたは位置することができるアクセスアパーチャを含む、キャップアセンブリ。【選択図】図１
2016523212.tif 000002
【特許請求の範囲】
【請求項１】
ガス同伴飲料を保持するための飲料容器を密封するキャップアセンブリであって、
該キャップアセンブリは、分配アセンブリと協働して前記飲料を分配するよう構成されており、
第１キャップ部品と、
常閉型飲料分配バルブと、前記飲料分配バルブが開いた際に飲料を分配するための飲料出口アパーチャであって前記第１キャップ部品内に形成される飲料出口アパーチャとを含む飲料出口と
を含み、
前記第１キャップ部品には、キャップアセンブリへの汚染物質の侵入を抑制するキャップカバーが設けられ、前記キャップカバーは、キャップカバーを取り外したり破ったりしないでキャップアセンブリの外から前記飲料分配バルブを開くことが可能なように前記飲料出口アパーチャの上に位置するまたは位置することができるアクセスアパーチャを含む、
キャップアセンブリ。
【請求項２】
前記第１キャップ部品に固定される第２キャップ部品を含む、請求項１に記載のキャップアセンブリ。
【請求項３】
前記飲料分配バルブは、少なくとも部分的に前記第２キャップ部品内に収容される、請求項２に記載のキャップアセンブリ。
【請求項４】
ガス源ハウジングをさらに含む、請求項１〜３のいずれか１項に記載のキャップアセンブリ。
【請求項５】
前記ガス源ハウジングは、前記第２キャップ部品である、または、前記第２キャップ部品内に形成される、請求項２または３に従属する請求項４に記載のキャップアセンブリ。
【請求項６】
前記ガス源ハウジング内に保持されるガス源を含む、請求項４または５に記載のキャップアセンブリ。
【請求項７】
前記ガス源は、ガスカートリッジである、請求項６に記載のキャップアセンブリ。
【請求項８】
前記ガスカートリッジを前記ガス源ハウジングに取り付けるためのカートリッジ保持部品であって、前記第１キャップ部品に取り付けられるカートリッジ保持部品を含む、請求項７に記載のキャップアセンブリ。
【請求項９】
前記飲料分配バルブは、前記第２キャップ部品と前記カートリッジ保持部品との間に収容される、請求項８に記載のキャップアセンブリ。
【請求項１０】
前記カートリッジ保持部品は、カートリッジ先端アセンブリを含む、請求項８または９に記載のキャップアセンブリ。
【請求項１１】
前記カートリッジ先端アセンブリは、カートリッジ起動後の前記ガス源またはカートリッジ先端から周囲環境へのガスの望ましくない漏れを防ぐための少なくとも１つのシールを含む、請求項１０に記載のキャップアセンブリ。
【請求項１２】
前記カートリッジ先端アセンブリは、ガス源を開けて下流部品またはアセンブリへのガスの流れを可能にするためのスパイクを収容する、請求項１０または１１に記載のキャップアセンブリ。
【請求項１３】
前記下流部品またはアセンブリは、分配アセンブリである、請求項１２に記載のキャップアセンブリ。
【請求項１４】
前記キャップカバーは、前記第１キャップ部品と別に形成される、請求項１〜１３のいずれか１項に記載のキャップアセンブリ。
【請求項１５】
前記キャップカバーは、少なくとも部分的に前記第１キャップ部品から取り外し可能である、請求項１４に記載のキャップアセンブリ。
【請求項１６】
前記キャップカバーは、前記第１キャップ部品と一体形成される、請求項１〜１３のいずれか１項に記載のキャップアセンブリ。
【請求項１７】
前記キャップカバーは、少なくとも部分的に脆弱であり、分配アセンブリを前記キャップアセンブリに付けることで、１箇所以上で前記キャップカバーが破裂し、前記分配アセンブリが前記キャップアセンブリに動作可能に結合される、請求項１〜１６のいずれか１項に記載のキャップアセンブリ。
【発明の詳細な説明】
【技術分野】
【０００１】
本発明は、飲料容器用キャップアセンブリに関する。
【背景技術】
【０００２】
ビール等の炭酸飲料や窒素化飲料は、典型的に、ラインを介してサービスポイントのタップに接続された容器（例：ケグ）から客に出される。必要な部品を全て購入し接続して家でこのような体験を再現することは可能であるが、普通の消費者のほとんどは、そうしたがらない。その結果、最近では、家庭消費者のために、「パーティーケグ」としても知られる小型（例：１Ｌ〜５Ｌ容積）の自給式飲料ディスペンサ（分配器）の販売が一般化している。
【０００３】
周知の飲料分配アセンブリの一例が、米国特許第８，０７０，０２３号（Ｖｉｔａｎｔｏｎｉｏ）に示されており、その内容をここに参照のために取り込む。Ｖｉｔａｎｔｏｎｉｏの飲料分配アセンブリは、炭酸飲料を含有する密封使い捨て容器アセンブリと、容器アセンブリと協働して選択的に容器アセンブリを開封して容器アセンブリから制御量の飲料を分配する別個の分配アセンブリとを含む。容器アセンブリは、容器と、容器を密封するキャップアセンブリとを含む。キャップアセンブリは、圧力源と、圧力源からのガスを受けるガス入口と、容器から飲料を分配する飲料出口とを収容する。
【０００４】
Ｖｉｔａｎｔｏｎｉｏのキャップアセンブリの飲料出口は、浸漬管を介して、容器の内部容積と流体連通している。飲料出口の近くにバルブを配置して、バルブが開くと飲料が浸漬管を通って出口から押し出されるようになっている。
【０００５】
容器アセンブリを充填および密封する際に起こり得る問題として、容器を炭酸飲料で充填してキャップアセンブリ内の浸漬管やサイフォン管を容器内に挿入した後、空気や他のガスが、浸漬管やサイフォン管内の飲料の上層とフローバルブとの間の分配経路に閉じ込められることがある。飲料が最初の数杯分配アセンブリから注がれると、閉じ込められたガスや非接液面により、過度の泡ヘッドが生じ得る。浸漬管に閉じ込められた空気や他のガスはまた、酸化その他の望ましくないあるいは意図しない影響を引き起こすかもしれず、充填容器の寿命の間飲料の質が全体的に低下する可能性がある。
【０００６】
前記の泡の問題の解決法の一つが、米国特許公報第２００９／０３２１４４３号（Ｔａｇｇａｒｔ）に開示されている。Ｔａｇｇａｒｔの解決法では、製造中に、浸漬管を、少なくともバルブまで、フラッシング液および／または飲料で充填する。フラッシング液は、飲料よりも、同伴ガスが少ない。液（即ち、飲料またはフラッシング液）をバルブに接触させることで、容器から分配される最初の数杯での極めて泡の多いヘッドの問題が緩和される。しかし、この方法の欠点として考えられるのが、いくつか追加の処理ステップを要する可能性である。
【０００７】
例えば、フラッシング液を用いる場合、充填プロセスでは、フラッシング液噴出口を飲料出口開口部と流体連通させて、バルブを開けて、フラッシング液源からのフラッシング液を飲料出口開口部を通じて浸漬管内に導入する必要がある。フラッシング液が浸漬管先端の開口部から出始めると、バルブを閉めて、フラッシング液噴出口を飲料出口開口部から外し、フラッシング液がバルブと浸漬管先端との間の浸漬管に閉じ込められる。
【０００８】
上記の問題のうちの１つ以上を克服または軽減すること、または、少なくとも有用な代替手段を提供することが望ましい。
【発明の概要】
【０００９】
本発明は、第１の態様において、ガス同伴飲料を保持するための飲料容器を密封するキャップアセンブリであって、キャップアセンブリは、分配アセンブリと協働して飲料を分配するよう構成されており、第１キャップ部品と、常閉型飲料分配バルブと、前記飲料分配バルブが開いた際に飲料を分配するための飲料出口アパーチャであって前記第１キャップ部品内に形成される飲料出口アパーチャとを含む飲料出口とを含み、前記第１キャップ部品には、キャップアセンブリへの汚染物質の侵入を抑制するキャップカバーが設けられ、前記キャップカバーは、キャップカバーを取り外したり破ったりしないでキャップアセンブリの外から前記飲料分配バルブを開くことが可能なように前記飲料出口アパーチャの上に位置するまたは位置することができるアクセスアパーチャを含む、キャップアセンブリを提供する。
【００１０】
好ましくは、前記キャップアセンブリはさらに、前記第１キャップ部品に固定される第２キャップ部品を含む。前記飲料分配バルブは、少なくとも部分的に前記第２キャップ部品内に収容されてもよい。
【００１１】
前記キャップアセンブリはさらに、ガス源ハウジングを含んでもよい。前記ガス源ハウジングは、前記第２キャップ部品であってもよく、または、前記第２キャップ部品内に形成されてもよい。前記ガス源ハウジング内にガス源を保持してもよい。前記ガス源は、ガスカートリッジであってもよい。
【００１２】
ある実施形態において、前記キャップアセンブリは、前記ガスカートリッジを前記ガス源ハウジングに取り付けるためのカートリッジ保持部品であって、前記第１キャップ部品に取り付けられるカートリッジ保持部品を含む。前記飲料分配バルブは、前記第２キャップ部品と前記カートリッジ保持部品との間に収容されてもよい。前記カートリッジ保持部品は、カートリッジ先端アセンブリを含んでもよい。任意のカートリッジ先端アセンブリは、カートリッジ起動後の前記ガス源またはカートリッジ先端から周囲環境へのガスの望ましくない漏れを防ぐための少なくとも１つのシールを含んでもよい。カートリッジ先端アセンブリは、ガス源を開けて分配アセンブリおよび／または圧力レギュレータ等の下流部品またはアセンブリへのガスの流れを可能にするためのスパイクを収容してもよい。
【００１３】
ある実施形態において、前記キャップカバーは、前記第１キャップ部品と別に形成される。前記キャップカバーは、少なくとも部分的に前記第１キャップ部品から取り外し可能であってもよく、または、永久的に取り付けられてもよい。他の実施形態において、前記キャップカバーは、前記第１キャップ部品と一体形成される。
【００１４】
ある実施形態において、前記キャップカバーは、少なくとも部分的に脆弱であり、分配アセンブリをキャップアセンブリに付けることで、１箇所以上で前記キャップカバーが破裂し、分配アセンブリがキャップアセンブリに動作可能に連結される。
【００１５】
任意の実施形態における他の特徴とは別々のしかし必ずしも排他的ではない、一連または複数の特徴または制御された部品毎の設備は、特に取り外し可能キャップにおける端、穴、または出入口のいずれかまたは全てで、シールまたはバリアを提供することができる。当該シールまたはバリアの目的は、ごみ、破片、液体、その他の異物が任意の箇所でアセンブリ内に侵入するのを防ぐことである。これは、生体成長を防ぐためまたは用途により求められる清浄度や衛生を維持するために、清潔および／または乾いた状態に保つべき領域を保護するのに特に有用である。
【図面の簡単な説明】
【００１６】
本発明の実施形態を、非限定例としてのみ、添付図面を参照しながら以下に説明する。
【図１】本発明の実施形態にかかるキャップアセンブリの分解図である。
【図２】キャップアセンブリの上面図である。
【図３】キャップアセンブリの側面図である。
【図４】浸漬管が取り付けられたキャップアセンブリの側面図である。
【図５】キャップアセンブリおよび浸漬管の底面図である。
【図６】飲料容器に固定されたキャップアセンブリの斜視図である。
【図７】図６の７−７線断面図である。
【図８】図７の部分拡大図である。
【発明を実施するための形態】
【００１７】
一連の図面、まず図１を参照して、キャップアセンブリ１０は、ねじ型第１（外側）キャップ部品１２と第２（内側）キャップ部品１４とを含む。内側キャップ部品１４は、ガスカートリッジ７０を受け入れて支持するアパーチャ１８を有する。アセンブリ１０はまた、さらにカートリッジ７０を固定する助けとなるカートリッジ保持要素４０を含む。キャップカバー６０は、外側キャップ部品１２を密閉するように被せられ、アパーチャ６２を含む。
【００１８】
図６〜８に示すように、キャップアセンブリ１０を用いて、圧力下で飲料を含有する飲料容器２００を密封する。キャップアセンブリ１０の環状シール１００は、ガスが容器２００から出るのを防ぐのに役立つ。飲料は、例えば、ビールやソフトドリンク等のガス同伴（例：炭酸）飲料であってもよい。キャップアセンブリ１０と飲料容器２００との組み合わせを、対応する分配アセンブリ、例えば、米国特許第８０７００２３号に開示されているものと同様の分配アセンブリ、と用いてもよい。米国特許第８０７００２３号の内容全体を、ここに参照のために取り込む。分配アセンブリは、キャップアセンブリ１０と協働して、使用時に、分配アセンブリに動作可能に連結し、分配アセンブリを通じてキャップアセンブリ１０経由で飲料を分配できるようにする。
【００１９】
カートリッジ保持要素４０は、カートリッジ保持要素４０のアパーチャ４６と外側キャップ部品１２のアパーチャ５６とを介して、内側キャップ部品１４のねじ型アパーチャ１６に受け入れられるステンレス鋼皿ねじ５４により、内側キャップ部品１４と外側キャップ部品１２との間に保持される。あるいは、セルフタッピングまたはねじ形成ねじ５４を、非ねじ型アパーチャ１６と用いてもよい。アパーチャ５６は、皿ねじ５４の頭部が外側キャップ部品１２の上面に密着して座るように、テーパ状である。
【００２０】
内側キャップ部品１４は、チェックバルブ３８で封止されたガス入口２８を有する。チェックバルブ３８は、液体や気体成分がシステム内を逆流するのを防ぐが、必要に応じてガスを飲料容器２００内に通すためできるだけ低いクラッキング圧を持つ、アンブレラバルブである。例示的なバルブは、Ｖｅｒｎａｙ  Ｉｎｄｕｓｔｒｉｅｓ，  Ｉｎｃにより製造されており、ショアＡデュロメーターレーティングが約６０であるシリコン等のエラストマー材料から形成される。他のタイプのチェックバルブ３８を本発明の実施形態で用いてもよい。図３に最も良く示すように、内側キャップ部品１４は、飲料出口２９も有する。図４および７に示すように、飲料出口２９は、浸漬管２２０に接続可能である。
【００２１】
ガス入口２８は、スプリング３２とバルブカップ３４とを受け入れるためのアパーチャ３０を有する。キャップアセンブリ１０が組み立てられると、スプリング３２は、カートリッジ保持部品４０の下面に位置するシール部材３６に対してバルブカップ３４を付勢し、バルブカップ３４がスプリングバイアスに対して刺激されない限り、ガスがガス入口２８に入れないようにする。同様に、飲料出口２９は、アパーチャ２０に受け入れられるスプリング２２およびバルブカップ２４に関連付けられており、バルブカップ２４は、浸漬管２２０から飲料が出るのを防ぐために、カートリッジ保持部品４０のシール２６に対して付勢される。
【００２２】
カートリッジ保持部品４０と外側キャップ部品１２とを内側キャップ部品１４に固定すると、ガス入口２８は、カートリッジ保持部品４０のアパーチャ４４および外側キャップ部品１２のアパーチャ５０と連通する。カートリッジ保持部品４０のアパーチャ４４は、隆起側壁に囲まれ、これは、外側キャップ部品１２のアパーチャ５０内に位置する。同様に、飲料出口２９は、アパーチャ４２と連通し、これも隆起側壁４３を有して、外側キャップ部品１２のアパーチャ５０内に位置する。アパーチャ４２を囲む側壁は、十分に隆起して、外側キャップ部品１２に被せられて外側キャップ部品１２の環状溝５９における周辺リップ６４のスナップイン結合により保持されるキャップカバー６０のアパーチャ６２内での配置が可能である。
【００２３】
カートリッジ７０は、カートリッジ凹部１８に挿入し、上にカートリッジ保持部品４０を取り付けることにより、内側キャップ部品１４において保持される。カートリッジ保持部品４０は、床面にアパーチャ４１を有するシート４８を持つ。アパーチャ４１は、カートリッジ７０の首部７４に被さる。カートリッジ先端アセンブリ８０は、シート４８に収容され、カートリッジ先端ベース８１と、カートリッジネックシール８２と、フラットシール８４と、カートリッジ貫通スパイク８８と、カートリッジ先端ヘッド８６と、カートリッジ／レギュレータシール９０と、カートリッジ先端キャップ９２とを含む。図８に最も良く示すように、カートリッジネックシール８２は、カートリッジネック７４の周りに嵌合し、フラットシール８４は、カートリッジ７０の上面７２に位置する。シール８２および８４は、動作中にガスがカートリッジ先端からシステムの外へ逃げるのを防止する。
【００２４】
カートリッジ先端ヘッド８６は、カートリッジ貫通スパイク８８を保持し、ねじ込み式付属器によってベース８１に取り付けられる。図８に最も良く示すように、スパイク８８は、その下側貫通端がカートリッジ７０の上面７２のわずか上方に位置するようにして、保持される。
【００２５】
有利なことに、取り外し可能キャップカバー６０は、飲料出口バルブ２４をキャップアセンブリ１０の外から作動させることを可能にしつつ、飲料容器２００の充填およびキャッピングプロセス中にキャップアセンブリ１０への汚染物質の侵入を低減または最小限に抑える。図８に最も良く示すように、隆起側壁４３の少なくとも一部は、外側キャップ部品１２を通って突出し、キャップカバー６０の内旋したリップ６８と結合する。リップ６８は、隆起側壁４３、すなわち、外側キャップ部品１２と共にシールを形成する。こうして、以下に説明するように浸漬管２２０をパージするためにバルブ２４を開いたとき、開放バルブを通って出る飲料は、外側キャップ部品１２や内側キャップ部品１４に浸出せず、キャップカバー６０がない場合よりも衛生的にパージ動作を行うことができる。
【００２６】
尚、キャップアセンブリ１０には、多くの代替的なタイプのキャップカバーを設けることができる。例えば、特に図示したキャップカバー６０は完全に取り外し可能であるが、代替キャップカバーは、部分的に取り外し可能であってもよい。例えば、このようなカバーは、脆弱ラインを有し、これが破裂して、カバーの一部を除去し、分配アセンブリの対応する部品への連結のために選択的にキャップアセンブリ１０の一部（例：ガス入口２８およびカートリッジ先端アセンブリ１０）を露出させる。さらなる代替キャップカバーを、永久的に第１キャップ部品１２に取り付けてもよいが、分配アセンブリとキャップアセンブリ１０とを結合する際に分配アセンブリの部品によって破裂可能な１つ以上の脆弱領域を有する。例えば、脆弱箔やフィルムまたは他の類似の破裂可能な封止部材を、第１キャップ部品１２に適用してもよい。さらに別の代替手段として、キャップカバーを第１キャップ部品１２と一体形成し、分配アセンブリとキャップアセンブリ１０とを結合する際に分配アセンブリの部品によって破裂可能な１つ以上の脆弱表面領域を有するようにしてもよい。
【００２７】
有利なことに、分配アセンブリとキャップアセンブリとの結合を可能にするための分配アセンブリによって破裂可能なキャップカバーにより、カバーを取り除く必要がなくなり、キャップアセンブリの取り扱いを軽減し、汚染やユーザーエラーの可能性を低下させる。
【００２８】
キャップカバー６０の他の構造上の細部に関わらず、カバー６０の取り外しまたは破壊を必要とせずに、カバーが定位置にある状態で、アクセスアパーチャ６２は、常閉型バルブ２４へのアクセスを提供する。従って、容器２００をビールやソフトドリンク等のガス同伴飲料で充填した後、飲料出口２９に接続された浸漬管２２０を（例えば、キャップアセンブリ１０を容器２００に付けるための任意の好適な装置によって）容器内の飲料の中に降下させながら、バルブ２４を容易に開位置に保持してもよい。バルブ２４が開位置に保持されるため、浸漬管２２０が飲料２１０の中に降下し、外側キャップ部品１２がボトル２００の首部にねじ込まれる間、開位置を維持することができるため、浸漬管２２０内に含まれる空気を浸漬管の上部からキャップアセンブリ１０の外へとパージすることができる。外側キャップ部品１２をしっかり固定した後、バルブ２４を閉じてもよい。
【００２９】
全キャッピング手順中にバルブ２４が開位置に保持される結果、浸漬管２２０に飲料を充填することができ、浸漬管２２０及びバルブ２４に飲料が注入される。これによって、典型的な充填およびキャッピングプロセスでは浸漬管２２０に閉じ込められるであろう空気の（全てではなくても）大部分を置換してパージする。これには２つの重要な利点がある。第一に、全パッケージ酸素含有量（ｔｏｔａｌ  ｐａｃｋａｇｅ  ｏｘｙｇｅｎ  ｃｏｎｔｅｎｔ（ＴＰＯ））が減り、それに伴って、酸化による飲料品質の劣化が軽減される。、第二に、ビールその他の炭酸飲料が最初の数杯で過度に発泡する問題が大幅に軽減または解消される。これは、飲料が浸漬管およびバルブ体内を「濡らす」ことで、泡核形成部位をなくすか少なくとも大幅に個数を減らすと共に、最初の分配中に気液前部がシステムを通過するにつれて大きな乱流を引き起こし得るヘッドスペースを取り除くからである。浸漬管２２０を排気しない（および飲料で充填しない）場合は、消費者がバルブ２４を作動すると、多数の潜在的な核形成部位が生じて、泡形成を促進し、加えて、飲料がヘッドスペースになだれ込んで通過し、最初の分配で飲料出口を介して泡が発生する。また、浸漬管およびバルブ体内のヘッドスペースをなくすことにより、最初の分配での圧力低下をより良好に管理・制御できるため、過度の発泡が抑制される。
【００３０】
本明細書で開示されるキャップアセンブリのさらなる利点は、キャッピング動作時に単一ステップで、すなわち、浸漬管が容器内の飲料の中に降下するように全キャップアセンブリを下げることで、空気を浸漬管からパージすることができ、飲料容器にキャップを付ける前に個別のパージステップを行う必要がないことである。
【００３１】
また、バルブ２４は、キャップアセンブリがボトル２００と共にシールまたは部分シールを形成した後、短期間開位置に保持されてもよい。この後段では、ガス同伴飲料中のガスは、自然に溶液から出て、ボトル２００内部の圧力を周囲圧力より高く上昇させ始める。バルブ２４は一方側で周囲へ開いているため、結果として、重力のみをガスパージおよび置換に利用する場合の最大高さであるボトル２００内飲料の最上レベルよりも高く、飲料が浸漬管およびバルブ体を上昇することになる。
【００３２】
ボトル２００のキャッピングプロセスは手動で行ってもよく、この場合、人が、ステンレス鋼ピンその他のツールを用いてバルブ２４を開位置に保持してキャッピング手順を行う。しかし、一般に、充填およびキャッピング手順は、大半が自動化される。飲料容器の充填およびキャッピングのための自動化プロセスおよび機械は、当該技術分野において公知であり、本明細書での詳細な説明は省略する。そのような機械は、外側キャップ部品１２を把持する手段と、バルブ２４を起動および停止する可動ピンと、外側キャップ部品を容器２００の首部にねじ止めするため外側キャップ部品１２を回転する手段とを含む。この点において、外側キャップ部品１２の耳部５８を把持して、外側キャップ部品１２を回転させることができる。
【００３３】
所望の場合、キャップカバー６０におけるアパーチャ６２の有利な配置により、キャッピング中にバルブ２４を開位置に保持するよりも、キャップアセンブリをボトルに完全に取り付けた後の任意のタイミングで上記のガス置換およびパージプロセスを行ってもよい。これは、単に任意の好適な手段でバルブ２４を開けて、重力および／またはボトル内圧力によって飲料がガスを置換し浸漬管およびバルブ体からガスをパージするようにすることで、なされる。しかし、浸漬管およびバルブ体内のガスの存在によるボトル内容物の劣化や損傷を防ぐために、充填の後できるだけ早くパージを行うことが好ましい。
【００３４】
密封飲料容器２００は、実質上、図６に示す形で消費者に提供され、消費者は、（例えばサムグリップ６６を用いて）キャップカバー６０を取り外して、上記の分配アセンブリ等の分配装置（図示せず）を適用することができる。分配装置は、キャップアセンブリ１０に取り付けられて起動されると、スパイク８８をシリンダ７０の上面７２を通って駆動し、スパイク８８は、外側キャップ部品１２のガスカートリッジアクセスアパーチャ５１を介してアクセス可能である。分配装置は、レギュレータ（図示せず）を介して、シリンダ７０からカートリッジ先端８０を通ってガス入口２８内への閉ガス流路を定義する。カートリッジ先端８０の上部のシール９０によって、ガスがカートリッジ先端８０とレギュレータとの間の経路から抜け出るのを防ぐ。分配装置は、外側キャップ部品１２におけるアパーチャ５２を介してバルブ２４を開くアクチュエータを含んでもよく、バルブが開くと、飲料２１０を分配可能なように飲料分配経路が定義される。
【００３５】
上記の実施形態は、例としてのみ提供され、発明の範囲内で多くの修正および変形が可能である。
【００３６】
本明細書およびそれに続く請求項において、文脈上他の意味に解すべき場合を除き、「含む」は、記載された整数、ステップ、整数群、またはステップ群を含むことを意味するが、他の整数、ステップ、整数群、またはステップ群を除外するものではない。
【００３７】
本明細書における先行出版物（またはそこに由来する情報）や任意の周知事項への参照は、当該先行出版物（またはそこに由来する情報）や周知事項が、本明細書が関連する分野での共通の一般的知識の一部をなすことを認めたり示唆するものではない。
【図１】
2016523212.tif 000003
【図２】
2016523212.tif 000004
【図３】
2016523212.tif 000005
【図４】
2016523212.tif 000006
【図５】
2016523212.tif 000007
【図６】
2016523212.tif 000008
【図７】
2016523212.tif 000009
【図８】
2016523212.tif 000010
【国際調査報告】
2016523212.tif 000011
2016523212.tif 000012
2016523212.tif 000013